(57)【要約】【課題】沸き上げポンプとパイプの位置ズレをなくしシール性の良好な貯湯式給湯機を提供することを目的とする。【解決手段】沸き上げポンプ２２を、タンク６胴部に固定するとともにタンク６のパイプ１８、１９との接続部２２ａには摺動可能なシ−ル部材２０を設けたものであるため、沸き上げポンプ２２とパイプ１８、１９はいずれもタンク６に固定されていることから、位置のズレが発生しにくくシール性が良好となるだけでなく、筐体１が変形しても沸き上げポンプ２２の接続部２２ａに応力がかかることはなく、しかも接続部２２ａのシ−ル部材２０が振動等を吸収しシール性は十分に確保できる。【選択図】  図１
2004218966.tif 000002
【特許請求の範囲】
【請求項１】
給湯用のタンクと、このタンク内の水を循環させる沸き上げポンプと、この沸き上げポンプとタンク下部間に接続された沸き上げ循環入り口パイプと、沸き上げポンプとタンク上部間に接続された沸き上げ循環出口パイプとを有し、前記沸き上げポンプは、タンク胴部に固定するとともに沸き上げ循環入り口パイプおよび沸き上げ循環出口パイプとの接続部には摺動可能なシ−ル部材を設けた貯湯式給湯機。
【請求項２】
給湯用のタンクと、このタンク内の湯を循環させる沸き上げポンプと、この沸き上げポンプとタンク下部間に接続された沸き上げ循環入り口パイプと、沸き上げポンプとタンク上部間に接続された沸き上げ循環出口パイプとを有し、前記タンクは、その胴部に沸き上げポンプを固定するとともに沸き上げ循環入り口パイプまたは沸き上げ循環出口パイプとの接続部には摺動可能なシ−ル部材を設けた貯湯式給湯機。
【請求項３】
沸き上げポンプは、タンク固定部と沸き上げポンプ保持部を有するポンプ取付具を介してタンク胴部へ固定し、ポンプ取付具のタンク固定部と沸き上げポンプ保持部の間には弾性変形部を設けた請求項１または２に記載の貯湯式給湯機。
【請求項４】
沸き上げポンプは、タンク固定部と沸き上げポンプ保持部を有するポンプ取付具を介してタンク胴部へ固定し、ポンプ取付具のタンク固定部とタンク胴部およびポンプ取付具のポンプ保持部と沸き上げポンプをねじにより固定し、それぞれのねじ固定位置は異なる方向に移動可能とした請求項１〜３のいずれか１項に記載の貯湯式給湯機
【請求項５】
少なくとも沸き上げポンプの吸込み口にフィルターを設けた請求項１〜４のいずれか１項に記載の貯湯式給湯機。
【発明の詳細な説明】
【０００１】
【発明の属する技術分野】
本発明は、電気温水器など貯湯式給湯機に関するものである。
【０００２】
【従来の技術】
従来、給湯用のタンクの水を沸き上げポンプにより汲み上げ循環させて沸き上げる電気温水器などの貯湯式給湯機は知られている（例えば、特許文献１参照）。
【０００３】
【特許文献１】
特開２００１−３５５９１６号公報
【０００４】
【発明が解決しようとする課題】
しかしながら、前記従来の貯湯式給湯機において、通常、沸き上げポンプは、給湯用のタンクをカバーする金属薄板製の筐体の内側に取り付けられていた。この場合、タンクと筐体は、部品が大きく自重もしくは取り付けバラツキなどによって、互いの相対位置は設計寸法に対してある程度のズレが生じ易く、筐体に取り付けた沸き上げポンプと、タンクに固定されたパイプとの接続部は、必ずしも設計通りの位置関係になっておらず位置ズレが発生するものであった。また、外的な力によって筐体が変形したり、運搬時の振動によって、沸き上げポンプの取り付け位置が変化すると、パイプとの接続部に応力がかかるという課題があった。
【０００５】
本発明は、前記従来の課題を解決するために、沸き上げポンプとタンクに固定されたパイプとの接続部の位置ズレをなくすとともに接続部が筐体変形に影響されないようにし、さらに接続部のシール性を十分に確保した貯湯式給湯機を提供することを目的とするものである。
【０００６】
【課題を解決するための手段】
前記目的を達成するために、本発明の貯湯式給湯機は、沸き上げポンプを、タンク胴部に固定するとともにタンクのパイプとの接続部には摺動可能なシ−ル部材を設けたものである。
【０００７】
これにより、沸き上げポンプとパイプはいずれもタンクに固定されていることから、位置のズレが発生しにくくシール性が良好となるだけでなく、筐体が変形しても沸き上げポンプの接続部に応力がかかることはなく、しかも接続部のシ−ル部材が振動等を吸収しシール性は十分に確保できる。
【０００８】
【発明の実施の形態】
請求項１に記載した発明は、給湯用のタンクと、このタンク内の水を循環させる沸き上げポンプと、この沸き上げポンプとタンク下部間に接続された沸き上げ循環入り口パイプと、沸き上げポンプとタンク上部間に接続された沸き上げ循環出口パイプとを有し、前記沸き上げポンプは、タンク胴部に固定するとともに沸き上げ循環入り口パイプおよび沸き上げ循環出口パイプとの接続部には摺動可能なシ−ル部材を設けた貯湯式給湯機とすることにより、沸き上げポンプ、沸き上げ循環出口パイプパイプ、および沸き上げ循環入り口パイプはいずれもタンクに固定されていることから、位置のズレが発生しにくくシール性が良好となるだけでなく、筐体が変形しても沸き上げポンプの接続部に応力がかかることはなく、しかも接続部のシ−ル部材が振動等を吸収しシール性は十分に確保できる。
【０００９】
請求項２に記載した発明は、給湯用のタンクと、このタンク内の湯を循環させる沸き上げポンプと、この沸き上げポンプとタンク下部間に接続された沸き上げ循環入り口パイプと、沸き上げポンプとタンク上部間に接続された沸き上げ循環出口パイプとを有し、前記タンクは、その胴部に沸き上げポンプを固定するとともに沸き上げ循環入り口パイプまたは沸き上げ循環出口パイプとの接続部には摺動可能なシ−ル部材を設けた貯湯式給湯機とすることにより、請求項１に記載の発明と同様な効果が得られると同時に、沸き上げ循環入り口パイプを短くした場合、すなわち、沸き上げポンプをできるだけ低い位置に配置し、タンク上方の熱湯層からの高低差を十分確保して、沸き上げポンプの接水部温度を低く保ち、沸き上げポンプの耐久寿命を向上させる場合には、接続部の少しの位置ズレが相対距離に対し大きな変位量となって、応力が増大する場合があるが、沸き上げ循環入り口パイプとタンクとの接続部分を摺動可能とすることにより、この位置ズレは吸収され、応力の発生が抑えられる。
【００１０】
請求項３に記載した発明は、沸き上げポンプは、タンク固定部と沸き上げポンプ保持部を有するポンプ取付具を介してタンク胴部へ固定し、ポンプ取付具のタンク固定部と沸き上げポンプ保持部の間には弾性変形部を設けた請求項１または２に記載の貯湯式給湯機とすることにより、沸き上げポンプと沸き上げ循環入り口パイプおよび沸き上げ循環出口パイプの位置ズレがあっても、接続されて発生する応力がポンプ取付具の弾性変形部の作用により軽減され、シ−ル性が悪くなることを防止できる。さらに沸き上げポンプの運転振動の伝播についても、ポンプ取付具の弾性変形部があることで低減され、全体として騒音レベルおよび振動レベルの低下が実現できている。
【００１１】
請求項４に記載した発明は、沸き上げポンプは、タンク固定部と沸き上げポンプ保持部を有するポンプ取付具を介してタンク胴部へ固定し、ポンプ取付具のタンク固定部とタンク胴部およびポンプ取付具のポンプ保持部と沸き上げポンプをねじにより固定し、それぞれのねじ固定位置は異なる方向に移動可能とした請求項１〜３のいずれか１項に記載の貯湯式給湯機とすることにより、ポンプ取付具の固定は、ねじ固定位置が２方向に移動できるため、タンクに固定されたパイプに、沸き上げポンプを接続し、その後、ポンプ取付具をその位置に合わせるといった手順で組み立て作業を行えば、この沸き上げポンプが通常の組み立てバラツキの範囲内で位置ズレしていても、ポンプ取付具をその位置まで移動することが可能で、ここにねじを用いて固定すれば、沸き上げポンプの接続部にほとんど応力がかからない状態となり、非常に耐久性の高いシール性の確保が実現できる。
また、ポンプ取付具の弾性変形部の作用が加われば、一定の範囲を３次元移動できる構成となり、組み立て作業性とシール性がより一層すぐれたものとなる。
【００１２】
請求項５に記載した発明は、少なくとも沸き上げポンプの吸込み口にフィルターを設けた請求項１〜４のいずれか１項に記載の貯湯式給湯機とすることにより、沸き上げポンプへのスケ−ル等の異物侵入を防止することができる。すなわち、長期間使用により、水に含まれる成分が固形化しスケ−ルがタンク内部に沈殿し、これが沸き上げポンプに侵入し堆積してくると、ポンプが異常に大きく振動したり異常音を出したり、また、沸き上げポンプがロックし運転ができなくなったりするが、これをフィルタ−を設けることで防止することができる。
【００１３】
【実施例】
以下、本発明の実施例について、図面を参照して説明する。
【００１４】
（実施例１）
図１〜図３は本発明の実施例１における貯湯式給湯機を示すものである。
【００１５】
図において、１は金属薄板製で略直方体の筐体であり、脚２を床にアンカーボルト３で固定されている。筐体１の内部には、コントローラ４、沸き上げ制御手段５および外側が断熱材７で覆われた給湯用のタンク６を備えている。また、タンク６には、減圧弁８と、逃し弁９と、排水栓１０が、それぞれ給水パイプ１１と、逃し弁パイプ１３と、排水パイプ１４を介して接続され、さらに上部には給湯パイプ１２が接続されている。
【００１６】
また、１５は湯水混合水栓であり、この湯水混合水栓１５の湯側接続口１５ａには、給湯配管１６が配管工事されて給湯パイプ１２と接続され、タンク６から湯が供給され、湯水混合水栓１５の水側接続口１５ｂと減圧弁８には、給水配管１７が配管工事されて接続され、上水道からの水が供給されるようになる。
【００１７】
タンク６の下部には接続ソケット６ａが溶接されており、これに沸き上げ循環入り口パイプ１８の一端が、パイプに対して摺動可能なＯリング等のシ−ル部材２０を介し接続されており、ファスナー金具２１により抜けないよう保持されている。ファスナー金具２１は、板金をプレス加工したものや、バネワイヤ−を曲げ加工したものや、袋ナット状のものでもよく、内圧や振動、運搬時の衝撃で接続の外れが発生しない構成としている。
【００１８】
タンク６内の水を循環させる沸き上げポンプ２２は、タンク６胴部に固定するとともにパイプとの接続部２２ａを２個設けている。接続部２２ａには、接続ソケット６ａと同様、シ−ル部材２０を設けており、ファスナー金具２１が施されパイプの抜けを防止し保持するようになっている。すなわち、一方の接続部２２ａには接続ソケット６ａに接続された沸き上げ循環入り口パイプ１８の他端が接続され、他方の接続部２２ａには先端がタンク６上部に接続固定された沸き上げ循環出口パイプ１９の端部が接続され、それぞれシ−ルと抜け防止を行い保持されている。なお、沸き上げ循環出口パイプ１９とタンク６の上部間にも、沸き上げ循環入り口パイプ１８の接続と同様、接続ソケット６ａを設けて接続するようにしてもよい。
【００１９】
また、タンク６胴部に溶接され、脚６ｂを固定する脚金具２３には、ポンプ取付具２４がねじ固定されており、このポンプ取付具２４に沸き上げポンプ２２は固定され、結果的に沸き上げポンプ２２はタンク６胴部に固定されている。ポンプ取付具２４は、沸き上げポンプ２２が給湯機前面より真正面の位置にレイアウトされるよう、角度をつけて（例えば、ほぼ直角）曲げられており、定期的なサ−ビスメンテナンス時に沸き上げポンプ２２の交換や清掃が容易にできるよう配慮されている。
【００２０】
そして、タンク６上部には沸き上げ温度を検知するサ−ミスタ２５と、タンク６内部の上方には貯湯水を加熱するヒ−タ−２６があり、沸き上げ制御手段５はヒ−タ−２６に通電し、タンク６上部の湯温が約９０℃一定となるよう、沸き上げポンプ２２を駆動制御しながらタンク６下方の低温水を上方に汲み上げ、上方から下方に約９０℃の湯を貯めていくようにしている。
【００２１】
この状態で、ユーザーが湯水混合水栓１５を開けると、給水配管１７より水が減圧弁８を経てタンク６下部に入り、タンク６内部の湯を下から押し上げ、給湯パイプ１２より約９０℃の湯が出湯される。この様にしてユーザーがさらに湯を使い続けても、タンク６内部では、湯と低温水の境界層は一定で湯と水が混ざり合うことがないことが分かっており、タンク６上部にある約９０℃の湯は湯水混合水栓１５で水と混合され適温となり、台所、洗面所、風呂などに安定した供給される。
【００２２】
上記したように、本実施例では、沸き上げポンプ２２と、沸き上げ循環入り口パイプ１８および沸き上げ循環出口パイプ１９との接続部２２ａは、いずれもタンク６に固定されていることから、位置のズレが発生しにくくシール性が良好となるだけでなく、ファスナー金具２１を用いていることにより、部品の組み立ておよび交換時には工具が不要で作業時間が短縮でき、定期的なサ−ビスメンテナンスにおいても、製造工程においても作業の効率化が図れるものである。
【００２３】
さらに、給湯機を運搬する場合に外的な力により筐体１が変形しても、沸き上げポンプ２２の接続部２２ａには影響なく、運搬時の振動に対してもシ−ル部材２０がパイプに対して摺動可能なためシール性は十分に確保できる。
【００２４】
さらに、沸き上げポンプ２２の接続部２２ａを凹状に成形し、この内面にシ−ル部材２０を密着して装着したパイプを挿入するように構成することもできる。
この場合、沸き上げポンプ２２の接続部２２ａが樹脂成形材料であっても、樹脂成形型の凸状パ−トラインはこの凹形状の内面には発生しないため、シ−ル性が良好となる。また、接続部２２ａにパイプを直接接続しているため、位置ズレ吸収の弾性のある別のホースを必要とせず、液状のシール剤の塗布も不要であり、しかも弾性のあるホースの劣化による破れで水漏れを起こすといった問題も無くなる。
【００２５】
また、沸き上げポンプ２２は薄板金属製の筐体１ではなく、満水に貯湯され共振が非常にしにくいタンク６に固定されていることから、運転騒音、運転振動は伝播されにくくなっており、全体としての騒音レベル、振動レベルは大幅に低減される。
【００２６】
さらに、ユ−ザ−が湯水混合水栓１５を使用することによって、タンク６内部では、上方に高温の熱湯層が下方に低温の水道水が満たされるという状態が長時間続くことになり、タンク６のできるだけ下方に沸き上げポンプ２２を配置すれば、沸き上げポンプ２２が駆動していない状態での接水部温度を低くすることが可能となって、沸き上げポンプ２２の耐久寿命を向上させることができる。このためには、沸き上げ循環入り口パイプ１８をできるだけ短くすることが必要となる。しかし、そうすれば相対距離に対する互いの接続位置のズレが大きくなって接続部にかかる応力が増大するが、接続ソケット６ａおよび沸き上げポンプ２２の接続部２２ａに摺動可能なシ−ル部材２０を設けることで、位置ズレがシ−ル部材２０の摺動で吸収され、応力の緩和によりシ−ル性がより確実となる。
【００２７】
（実施例２）
次に、図４は本発明の実施例２における貯湯式給湯機を示すものである。
実施例１と同一要素については同一符号を付して説明を省略する。
【００２８】
以下、相違点を中心に説明すると、脚金具２３にはポンプ取付具２７がねじ２８にて固定されており、このポンプ取付具２７には沸き上げポンプ２２が固定されている。そして、ポンプ取付具２７は、脚金具２３に固定するタンク固定部２７ａと、沸き上げポンプ  ２２を固定する沸き上げポンプ保持部２７ｂを有するもので、タンク固定部２７ａと沸き上げポンプ保持部２７ｂの間には板バネ形状に構成されている弾性変形部２７ｃを設けた。タンク固定部２７ａと沸き上げポンプ保持部２７ｂとは、それぞれの固定面がはほぼ直角である。
【００２９】
また、タンク固定部２７ａには縦長の長穴２９が開いており、ねじ２８による固定位置が上下移動できる巾を有する構成となっている。さらに、沸き上げポンプ保持部２７ｂには横長の長穴３０があって、こちらもねじ２８による固定位置が左右移動できる巾を有する構成となっている。すなわち、ポンプ取付具２７の固定は、ポンプ取付具２７を異なる２方向に位置を変えることで十分であるが、これに加え、ポンプ取付具２７の弾性変形部２７ｃが変位するようにしていることで、一定の範囲を３次元移動できる構成となっている。
【００３０】
したがって、タンク６に接続固定されたパイプに、沸き上げポンプ２２を接続し、その後、ポンプ取付具２７をその位置に合わせるといった手順で組み立て作業を行えば、この沸き上げポンプ２２が通常の組み立てバラツキの範囲内で位置ズレしていても、ポンプ取付具２７をその位置まで移動することが可能で、ここにねじ２８を用いて固定すれば、沸き上げポンプ２２の接続部にほとんど応力がかからない状態となり、非常に耐久性の高いシール性の確保が実現できる。
【００３１】
また、接続部２２ａのシール部材２０が摺動可能なことと、ポンプ取付具２７には弾性変形部２７ｃがあることから、沸き上げポンプ２２の振動が吸収され、全体としての騒音および振動を低減することが可能となる。
【００３２】
さらに、沸き上げポンプ２２を固定しているポンプ取付具２７は金属製であることから、この沸き上げポンプ２２とタンク６および対地ア−スに対して電気的な接続が成立しており、沸き上げポンプ２２に内蔵されている電子制御部品は静電気から保護されており、別途ア−ス線等を設ける必要もない。
【００３３】
（実施例３）
次に、図５は本発明の実施例３における貯湯式給湯機を示すものである。
実施例１、２と同一要素については同一符号を付して説明を省略する。
【００３４】
本実施例では、ステンレス線などによりできた桶形でメッシュ状のフィルタ−３０を、少なくとも沸き上げポンプ２２の吸込み口に設けた。具体的には、フィルタ−３０を吸込み口側の凹状となった接続部２２ａ内部に設け、シール部材２０を装着した沸き上げ循環入り口パイプ１８を挿入しファスナ−金具２１で固定している。なお、フィルタ−３０にはフィルタ−取っ手３０ａを設けており、沸き上げポンプ２２の接続部２２ａへの着脱がやりやすいようにしているだけでなく、スケ−ル等の異物を桶形の内側に付着するようにして、着脱の際に、付着した異物がこぼれて沸き上げポンプ２２内部に残らないよう配慮している。
【００３５】
このように、フィルタ−３０を設けることにより、沸き上げポンプ２２へのスケ−ル等の異物侵入を防止することができる。すなわち、長期間使用により、水に含まれる成分が固形化しスケ−ルがタンク内部に沈殿し、これが沸き上げポンプ２２に侵入し堆積してくると、ポンプが異常に大きく振動したり異常音を出したり、また、沸き上げポンプ２２がロックし運転ができなくなったりするが、フィルタ−３０を設けることで防止することができる。
【００３６】
さらに、ファスナ−金具２１を外せば、沸き上げ循環入り口パイプ１８は沸き上げポンプ２２から容易に取り外すことができ、フィルタ−３０の掃除も容易であり、サ−ビスメンテナンスの作業も効率的になる。
【００３７】
このような構成により、定期的なサ−ビスメンテナンス作業が効率的となり給湯機の耐久性向上も図れる。
【００３８】
【発明の効果】
以上の説明から明らかなように、本発明の貯湯式給湯機は、沸き上げポンプを、タンク胴部に固定するとともにタンクのパイプとの接続部には摺動可能なシ−ル部材を設けたものであるため、沸き上げポンプとパイプはいずれもタンクに固定されていることから、位置のズレが発生しにくくシール性が良好となるだけでなく、筐体が変形しても沸き上げポンプの接続部に応力がかかることはなく、しかも接続部のシ−ル部材が振動等を吸収しシール性は十分に確保できる。
【図面の簡単な説明】
【図１】本発明の実施例１における貯湯式給湯機の断面図
【図２】同貯湯式給湯機の沸き上げポンプ部の構成図
【図３】同貯湯式給湯機の全体を一部切り欠いて示した斜視図
【図４】本発明の実施例２における貯湯式給湯機の沸き上げポンプ部の構成図
【図５】本発明の実施例３における貯湯式給湯機の沸き上げポンプ部の構成図
【符号の説明】
１  筐体
６  タンク
１８  沸き上げ循環入り口パイプ
１９  沸き上げ循環出口パイプ
２０  シール部材
２２  沸き上げポンプ
２２ａ  接続部
２４、２７  ポンプ取付具
２７ａ  タンク固定部
２７ｂ  沸き上げポンプ保持部
２７ｃ  弾性変形部
２８  ねじ
３０  フィルター
【図１】
2004218966.tif 000003
【図２】
2004218966.tif 000004
【図３】
2004218966.tif 000005
【図４】
2004218966.tif 000006
【図５】
2004218966.tif 000007